(57)【要約】【課題】偏向器からの振動がハウジングを介して、光学素子に伝わることを抑制した光書込装置及びこれを組み込んだ画像形成装置を提供すること。【解決手段】光プリントヘッド７３は、光を偏向走査する偏向器１３と、光学素子１４ａ，１４ｂ，１４ｃと、偏向器１３及び光学素子１４ａ，１４ｂ，１４ｃを保持するハウジング１８とを備え、ハウジング１８の支持板１８ｉに、振動抑制部９１ａ及び振動伝達遮断部９１ｂにより略包囲され偏向器１３を支持する包囲内領域９２を有し、包囲内領域９２内に振動伝達遮断部９１ｂに臨む半島状の可動平面部９２ａを有するとともに、包囲内領域９２外にハウジング１８の振動方向に光学的感度を持つ少なくとも１つ以上の光学素子１４ａ用の素子保持部１８ｄを配置している。【選択図】図２
2020085984.tif 000002
【特許請求の範囲】
【請求項１】
光を偏向走査する偏向器と、前記光学素子と、前記偏向器及び前記光学素子を保持するハウジングとを備え、
前記ハウジングの支持板に、振動抑制部及び振動伝達遮断部により略包囲され前記偏向器を支持する包囲内領域を有し、
前記包囲内領域内に前記振動伝達遮断部に臨む半島状の平面部を有するとともに、前記包囲内領域外に前記ハウジングの振動方向に光学的感度を持つ少なくとも１つ以上の前記光学素子用の素子保持部を配置したことを特徴とする光書込装置。
【請求項２】
前記振動伝達遮断部に臨む半島状の前記平面部に前記ハウジングの振動方向に光学的感度を略持たない前記光学素子用の素子保持部が配置されていることを特徴とする請求項１に記載の光書込装置。
【請求項３】
前記振動抑制部は、前記ハウジングの表側及び裏側の一方又は双方に形成されていることを特徴とする請求項１及び２のいずれか一項に記載の光書込装置。
【請求項４】
前記振動抑制部は、前記ハウジングと一体成形されたリブ状部分であることを特徴とする請求項１〜３のいずれか一項に記載の光書込装置。
【請求項５】
前記振動伝達遮断部は、前記ハウジングに設けられた孔であることを特徴とする請求項１〜４のいずれか一項に記載の光書込装置。
【請求項６】
前記振動伝達遮断部は、前記ハウジングの肉厚を周囲に比べ薄くした領域であることを特徴とする請求項１〜４のいずれか一項に記載の光書込装置。
【請求項７】
前記偏向器の加振周波数における半島状の前記平面部の振動モードが、前記平面部の根元近傍を節とする面外方向振動であることを特徴とする請求項１〜６のいずれか一項に記載の光書込装置。
【請求項８】
前記包囲内領域の外側において、前記振動伝達遮断部の近傍に前記振動抑制部が延びていることを特徴とする請求項１〜７のいずれか一項に記載の光書込装置。
【請求項９】
請求項１〜８のいずれか一項に記載の光書込装置を備える画像形成装置。
【発明の詳細な説明】
【技術分野】
【０００１】
本発明は、デジタル複写機、プリンターその他の画像形成装置に組み込まれる光書込装置及びその画像形成装置に関するものであり、特に偏向走査方式を用いた光書込装置等に関するものである。
【背景技術】
【０００２】
偏向走査方式を用いた光書込装置では、半導体レーザー等の光源からの光線をポリゴンモーターなどの偏向器によって偏向走査し、帯電させた感光体である像担持体上に走査レンズ系等の光学素子によって光スポットとして結像させ像担持体上で移動させることによって、静電潜像の書込みを行う。
【０００３】
偏向器を用いて感光体面上で光線を走査する光書込装置では、偏向器からの振動が光書込装置のハウジングを介して光学素子に伝わり光学素子が振動する。光学素子が振動すると、光学素子ごとの光学的感度により感光体上の結像位置も振動しズレが生じる。光学素子の振動が大きくなると、感光体上の結像位置のズレが大きくなり画像品質を低下させる懸念がある。特に走査方向と直交する副方向の結像位置のズレが周期的なピッチムラとして視認されやすく、１μｍ以下の位置ズレでも問題になることがある。
【０００４】
光学素子の振動による画像品質の低下を抑制する手法として、画像品質に感度の高い光源部付近に局所的な剛性強化をして光源部の振動を抑制すること（特許文献１）、偏向器領域と光学素子領域との間に仕切壁を設けることでハウジングの剛性を強化し、振動を抑制すること（特許文献２）等が行われている。
【０００５】
特許文献１の構成では、剛性強化のみに依存しており、偏向器からの振動が他の光学素子に伝わり画像品質が低下する可能性がある。また、特許文献２の構成でも、偏向器の振動のエネルギーを仕切壁内にとどめることができず、光学素子領域に振動が伝わってしまい、画像品質が低下する可能性がある。
【先行技術文献】
【特許文献】
【０００６】
【特許文献１】特開平１０−１１５７９４号公報
【特許文献２】特開２００１−２２８４２５号公報
【発明の概要】
【０００７】
本発明は、上記背景技術の課題に鑑みてなされたものであり、偏向器からの振動がハウジングを介して、光学素子に伝わることを抑制した光書込装置及びこれを組み込んだ画像形成装置を提供することを目的とする。
【０００８】
上記目的を達成するため、本発明に係る光書込装置は、光を偏向走査する偏向器と、光学素子と、偏向器及び光学素子を保持するハウジングとを備え、ハウジングの支持板に、振動抑制部及び振動伝達遮断部により略包囲され偏向器を支持する包囲内領域を有し、包囲内領域内に振動伝達遮断部に臨む半島状の平面部を有するとともに、包囲内領域外にハウジングの振動方向に光学的感度を持つ少なくとも１つ以上の光学素子用の素子保持部を配置している。
【０００９】
上記光書込装置によれば、ハウジングの支持板に、振動抑制部及び振動伝達遮断部により略包囲され偏向器を支持する包囲内領域を有するとともに、包囲内領域内に振動伝達遮断部に臨む半島状の平面部を有するので、偏向器からの振動を平面部で遮断しつつ包囲内領域外に漏れ出すことを防止できる。また、包囲内領域外にハウジングの振動方向に光学的感度を持つ少なくとも１つ以上の光学素子用の素子保持部を配置しているので、この種の振動感度が高い光学素子に伝わる振動によって画像品質が低下することを防止できる。
【００１０】
本発明の具体的な側面では、上記光書込装置において、振動伝達遮断部に臨む半島状の平面部にハウジングの振動方向に光学的感度を略持たない光学素子用の素子保持部が配置されていることを特徴とする。この場合、包囲内領域内にこの種の振動感度が低い光学素子を配置することで、画像品質への影響を抑えつつ、ハウジング上の空間を有効に活用することができる。
【００１１】
本発明の別の側面では、振動抑制部は、ハウジングの表側及び裏側の一方又は双方に形成されている。この場合、振動抑制部の配置の自由度を生かして、光学素子や光路の配置の自由度を高め、ハウジング上の空間を有効活用することができる。
【００１２】
本発明のさらに別の側面では、振動抑制部は、ハウジングと一体成形されたリブ状部分である。この場合、一体成形によって、複数部材に分かれている場合に比べ振動抑制部の部品コストや組立作業工数を圧縮でき、低コスト化に寄与することができる。
【００１３】
本発明のさらに別の側面では、振動伝達遮断部は、ハウジングに設けられた孔である。この場合、振動伝達遮断部での振動の遮断効率を高めることができる。
【００１４】
本発明のさらに別の側面では、振動伝達遮断部は、ハウジングの肉厚を周囲に比べ薄くした領域である。この場合、ハウジング全体の剛性を維持することが容易になり、衝撃や荷重に強くなる。
【００１５】
本発明のさらに別の側面では、偏向器の加振周波数における半島状の平面部の振動モードが、平面部の根元近傍を節とする面外方向振動である。このように、偏向器による加振周波数で平面部の先端が揺れるような振動モードにすることで、偏向器の振動を平面部に集中させる効果をより確実に得ることができる。
【００１６】
本発明のさらに別の側面では、包囲内領域の外側において、振動伝達遮断部の近傍に振動抑制部が延びている。振動伝達遮断部は、ハウジングの剛性を低くする可能性があるが、その外側にオーバーラップさせて剛性を強化する振動抑制部を延ばすことで、包囲した領域外での剛性低下による振動の増大を抑制することができる。
【００１７】
上記目的を達成するため、本発明に係る画像形成装置は、上述した光書込装置を備えるものである。
【００１８】
上記画像形成装置によれば、上述した特徴を有する光書込装置を備えるものであり、光学系の振動を抑えて画像品質を向上させることができる。
【図面の簡単な説明】
【００１９】
【図１】第１実施形態の画像形成装置の概略構成を示す部分断面図である。
【図２】（Ａ）は、光書込装置である光プリントヘッドの平面図であり、（Ｂ）は、（Ａ）に示す光プリントヘッドのＡＡ側断面図である。
【図３】図２（Ａ）等に示す光プリントヘッドの変形例を説明する側断面図である。
【図４】図２（Ａ）等に示す光プリントヘッドの変形例を説明する平面図である。
【図５】図２（Ａ）等に示す光プリントヘッドの変形例を説明する側断面図である。
【図６】（Ａ）は、実施例の光プリントヘッドのハウジングの振動状態を説明する図である。（Ｂ）〜（Ｄ）は、比較例１〜３の光プリントヘッドのハウジングの振動状態をそれぞれ説明する図である。
【図７】第２実施形態の光プリントヘッドを説明する平面図である。
【図８】第３実施形態の光プリントヘッドを説明する側断面図である。
【発明を実施するための形態】
【００２０】
［第１実施形態］
図１に示すように、第１実施形態の画像形成装置１００は、例えばデジタル複写機等として用いられ、原稿Ｄに形成された色画像を読み取る画像読取部１０と、原稿Ｄに対応する画像を用紙Ｐに形成する画像形成部２０と、画像形成部２０に用紙Ｐを給紙する給紙部４０と、用紙Ｐを搬送する搬送部５１と、装置全体の動作を統括的に制御する制御部１０１とを含む。
【００２１】
画像形成部２０は、シアン、マゼンタ、イエロー、及びブラックの色毎に設けられた像形成ユニット７０Ｙ，７０Ｍ，７０Ｃ，７０Ｋと、各色を合成したトナー像が形成される中間転写部５２と、トナー像を定着させる定着部５３とを備えている。
【００２２】
画像形成部２０のうち、画像形成ユニット７０Ｙは、Ｙ（イエロー）色の画像を形成する部分であり、感光ドラム７１、帯電部７２、光プリントヘッド（光書込装置）７３、現像部７４等を備えている。感光ドラム７１は、Ｙ色のトナー像を形成し、帯電部７２は、感光ドラム７１の周囲に配置されてコロナ放電により感光ドラム７１の表面を感光体として帯電させ、光プリントヘッド７３は、感光ドラム７１に対してＹ色成分の画像に対応する光を照射し、現像部７４は、感光ドラム７１の表面にＹ色成分のトナーを付着させることにより静電潜像からトナー像を形成する。感光ドラム７１は、円筒形状を有し、回転軸ＲＸのまわりに回転する。感光ドラム７１の円筒表面は、光プリントヘッド７３による像を結像させる受光面７１ａとなっている。
【００２３】
他の像形成ユニット７０Ｍ，７０Ｃ，７０Ｋは、形成する画像の色が異なる以外はＹ色用の画像形成ユニット７０Ｙと同様の構造及び機能を有するため、これらの構造等については説明を省略する。なお、像形成ユニット７０は、４色の像形成ユニット７０Ｙ，７０Ｍ，７０Ｃ，７０Ｋのうち任意のユニットを意味し、それぞれの色に適合させた要素として、感光ドラム７１、帯電部７２、光プリントヘッド７３、及び現像部７４を備える。
【００２４】
図２（Ａ）及び２（Ｂ）に示すように、光プリントヘッド（光書込装置）７３は、所定波長の光線ＬＢを射出する光源装置１２と、光源装置１２から出射された光線ＬＢを偏向及び走査する偏向器１３と、偏向器１３を経た光束を円柱状の感光ドラム７１の表面上に導く光学走査系１４と、これらの光学要素を支持しつつ収納するハウジング１８とを備える。ここで、光源装置１２は、例えば半導体レーザー等の発光素子１２ａと、発光素子１２ａから射出された光を成形するレンズ、ミラー等の光学素子１２ｂとを含み、発光素子１２ａは、画像情報に応じて偏向器１３の回転動作と同期しながら発光制御される。偏向器１３は、光源装置１２からの光線ＬＢを光学走査系１４側に反射する回転多面鏡１３ａと、回転多面鏡１３ａを回転させるモータ部１３ｂとを有する。光学走査系１４は、ｆθレンズとも呼ばれる走査レンズ１４ａと、光路折曲げ用のミラー１４ｂ，１４ｃとを有する。回転多面鏡１３ａにより、光線ＬＢの向きをＸＹに平行な主方向に沿って変化させることができる。走査レンズ１４ａは、単一のレンズ素子で構成されるものに限らず、複数のレンズ素子で構成されたものであってもよい。ミラー１４ｂ，１４ｃは、光線ＬＢの射出方向を設定するためのものであり、画像形成部２０の仕様等の条件に応じて個数や配置を適宜設定することができる。
【００２５】
ハウジング１８には、例えばアルミダイキャスト製の一体成形品であり、底面として水平方向に延びる支持板１８ｉと、支持板１８ｉを周囲から支持して鉛直方向に延びる壁体１８ｊとを有する。支持板１８ｉにおいて、光源装置１２を固定する光源保持部１８ａと、偏向器１３を固定する偏向器保持部１８ｂと、光学走査系１４を固定する素子保持部１８ｃ，１８ｄとが設けられている。光源装置１２は、支持板１８ｉの表側１８ｆにおいて、固定部８１ａを介して光源保持部１８ａに固定されている。偏向器１３は、支持板１８ｉの表側１８ｆにおいて、固定部８１ｂを介して偏向器保持部１８ｂに固定されている。光学走査系１４を構成する走査レンズ１４ａは、支持板１８ｉの裏側１８ｒにおいて、固定部８１ｃを介して素子保持部１８ｃに固定され、光学走査系１４を構成するミラー１４ｂ，１４ｃは、素子保持部１８ｃとは別に設けた素子保持部１８ｄに固定部８１ｄを介して固定されている。
【００２６】
ハウジング１８の支持板１８ｉには、偏向器１３を囲むように振動防止枠９１が形成されている。振動防止枠９１は、走査レンズ１４ａ等の光学素子や支持板１８ｉの周辺を通過する光線と干渉しないように配置されている。振動防止枠９１は、振動抑制部９１ａと振動伝達遮断部９１ｂとを有する。振動防止枠９１は、矩形であり、振動防止枠９１の内側は、包囲内領域９２となっている。包囲内領域９２は、偏向器１３を支持するとともに、振動抑制部９１ａ及び振動伝達遮断部９１ｂにより略包囲されている。支持板１８ｉは、包囲内領域９２内に、振動伝達遮断部９１ｂに臨む半島状の可動平面部９２ａを有するとともに、振動抑制部９１ａと可動平面部９２ａとに囲まれた矩形板部９２ｂを有する。振動抑制部９１ａは、ハウジング１８又は支持板１８ｉと一体成形され表側１８ｆに突起するリブ状部分であり、矩形板部９２ｂを３方向から囲む３辺の線状突起部分からなる。この場合、一体成形によって、複数部材に分かれている場合に比べ振動抑制部９１ａの部品コストや組立作業工数を圧縮でき、低コスト化に寄与することができる。振動伝達遮断部９１ｂは、表側１８ｆから裏側１８ｒに貫通する孔又は切欠き９５であり、可動平面部９２ａを３方向から囲む３辺の線状開口部分又はＵ字状開口部分からなる。この場合、振動伝達遮断部９１ｂでの振動の遮断効率を高めることができる。
【００２７】
可動平面部９２ａは、根元部９２ｄにおいて矩形板部９２ｂに固定されている。つまり、根元部９２ｄは固定端であり、端部９３は自由端として機能し走査の副方向に対応するＺ方向に振動する。ここで、偏向器１３の加振周波数における半島状の可動平面部９２ａの振動モードは、可動平面部９２ａの根元部９２ｄ近傍を節とする１次面外方向振動となっている。ここで、面外方向は副方向又はＺ方向に相当する。このように、偏向器１３による加振周波数で可動平面部９２ａの端部９３が揺れるような振動モードにすることで、偏向器１３の振動を可動平面部９２ａに集中させる効果をより確実に得ることができる。
【００２８】
振動抑制部（リブ状部分）９１ａは、これにより囲んだ支持板１８ｉの領域内の剛性を高めることにより、包囲内領域９２内の矩形板部９２ｂの振動を抑制する役割を有する。振動伝達遮断部９１ｂ又は孔９５は、可動平面部９２ａの端部９３の振動を許容することで、包囲内領域９２内の振動が振動伝達遮断部９１ｂを介して包囲内領域９２外に漏れ出すことを防止する。包囲内領域９２外において、光源保持部１８ａには、ハウジング１８又は支持板１８ｉの振動方向であるＺ方向に光学的感度を持つ光源装置１２が振動が抑制された状態で支持されており、結果的に、偏向器１３に起因する光源装置１２の振動、つまり光線ＬＢの射出方向が±Ｚ方向すなわち副方向に関して高速で偏向することによる結像位置のずれ延いては画像品質の低下が防止されている。仮に偏向器１３の振動が光源装置１２に直接的に十分な強度で伝わったとすると、図２（Ｂ）に一点鎖線で概念的に示すように、光線ＬＢｄの射出方向がＺ方向に振動するように偏向される。包囲内領域９２外において、素子保持部１８ｃには、ハウジング１８又は支持板１８ｉの振動方向であるＺ方向に光学的感度を持つ光学素子としての走査レンズ１４ａが振動が抑制された状態で支持されており、結果的に、偏向器１３に起因する走査レンズ１４ａの振動、つまり光線ＬＢの射出方向が±Ｚ方向に関して高速で偏向することによる結像位置のずれ延いては画像品質の低下が防止されている。包囲内領域９２外において、素子保持部１８ｄには、ハウジング１８又は支持板１８ｉの振動方向であるＺ方向に光学的感度を持つ光学素子としてのミラー１４ｂ，１４ｃが、振動が抑制された状態で支持されており、結果的に、偏向器１３に起因するミラー１４ｂ，１４ｃの振動による画像品質の低下が防止されている。
【００２９】
光プリントヘッド７３の動作について説明すると、光源装置１２から出射された光線ＬＢは、偏向器１３において回転する回転多面鏡１３ａに入射し反射されつつ射出方向が変化する。回転多面鏡１３ａで反射された光線ＬＢは、ミラー１４ｂ，１４ｃで折り曲げられて走査レンズ１４ａに入射する。走査レンズ１４ａを経た光線ＬＢは、感光ドラム７１の表面に入射して電気的潜像を形成する。
【００３０】
図３に変形例として示すように、振動抑制部（リブ状部分）９１ａは、ハウジング１８又は支持板１８ｉの表側１８ｆではなくハウジング１８又は支持板１８ｉの裏側１８ｒに突起するリブ状部分とすることができる。この場合も、振動抑制部９１ａは、ハウジング１８又は支持板１８ｉと一体成形され、包囲内領域９２内の矩形板部９２ｂの振動を抑制する。この場合、振動抑制部９１ａの配置の自由度を生かして、支持板１８ｉにおける光学素子や光路の配置の自由度を高め、ハウジング１８上の空間を有効活用することができる。
【００３１】
図４に変形例として示すように、振動抑制部（リブ状部分）９１ａは、包囲内領域９２の外側において、振動伝達遮断部９１ｂ又は孔９５に沿って振動伝達遮断部９１ｂの近傍領域に延びている。つまり、振動防止枠９１の一部において、振動抑制部９１ａと振動伝達遮断部９１ｂとが近接して重なって延びる領域が存在する。振動抑制部９１ａと振動伝達遮断部９１ｂとをオーバーラップさせることで剛性を強化している。なお、図示を省略するが、振動抑制部９１ａと振動伝達遮断部９１ｂとが若干離間していてもよい。つまり、振動防止枠９１の一部が離間して開状態となっていてもよい。
【００３２】
図示を省略するが、振動防止枠９１や包囲内領域９２の輪郭は、四角形に限らず、例えば楕円形、五角形以上の多角形、四角形の角を取ったもの等とできる。同様に、可動平面部９２ａも四角形に限らず曲線、面取り、切欠き等を含むものとできる。振動抑制部（リブ状部分）９１ａの長手方向を横断する断面形状も、矩形に限らず、半円弧状等の様々な形状とできる。
【００３３】
図５に変形例として示すように、ミラー１４ｂ，１４ｃを省略して、回転多面鏡１３ａで反射された光線ＬＢを走査レンズ１４ａに直接入射させることもできる。この場合、走査レンズ１４ａは、偏向器１３の支持板１８ｉを挟んだ反対側に配置されないが、偏向器１３は、矩形板部９２ｂにおいて裏側１８ｒに固定されることにより包囲内領域９２内に支持されている。一方、走査レンズ１４ａは、包囲内領域９２外に支持されている。
【００３４】
以下、光プリントヘッド７３の具体的な構造を前提とするシミュレーション結果について説明する。
【００３５】
図６（Ａ）は、実施例の光プリントヘッド７３について、振動ＳＩＭ（周波数応答解析）を行った結果を示し、破線の円で囲まれた振動が大きな領域外に、光源装置１２用の光源保持部１８ａと、走査レンズ１４ａ用の素子保持部１８ｃとが配置されている。リブ状部分である振動抑制部９１ａは、包囲内領域９２を略囲んでいるが、一部が欠けている。振動ＳＩＭの解析条件としては、偏向器１３の設置個所、つまり偏向器保持部１８ｂに、光プリントヘッド７３の稼働時に偏向器１３から発生する加振周波数（６５０Ｈｚ）で紙面垂直方向に加振力を加えた。図６（Ａ）中のコンター要素（濃淡分布）は、ハウジング１８又は支持板１８ｉの各箇所の紙面垂直方向の振動の大きさ又は振幅を表す。振動が比較的大きな振動領域ＶＡは、包囲内領域９２のうち可動平面部９２ａに限られたものとなっている。つまり、半島状の可動平面部９２ａに振動を集中させたことにより、包囲内領域９２内に振動のエネルギーをとどめ、包囲内領域９２外に振動が伝わることを抑制できることを表している。
【００３６】
図６（Ｂ）は、比較例１の光プリントヘッドについて、振動ＳＩＭ（周波数応答解析）を行った結果を示す。この場合、図６（Ａ）に示す実施例と異なり、振動防止枠９１が形成されず包囲内領域９２も存在しない。また、開口孔９９１ｂが形成されているが、半島状の可動平面部９２ａが存在しない。振動が比較的大きな振動領域ＶＡは、ハウジング１８の支持板１８ｉの中央部や外縁部に大きく広がっており、光源保持部１８ａにも及んでいる。
【００３７】
図６（Ｃ）は、比較例２の光プリントヘッドについて、振動ＳＩＭ（周波数応答解析）を行った結果を示す。この場合、振動防止枠９１が形成され包囲内領域９２が存在する。ただし、開口孔９９１ｂが形成されているが、半島状の可動平面部９２ａが存在しない。振動が比較的大きな振動領域ＶＡは、包囲内領域９２外に大きく広がってハウジング１８の支持板１８ｉの中央部や外縁部に及んでおり、光源保持部１８ａにも及んでいる。
【００３８】
図６（Ｄ）は、比較例３の光プリントヘッドについて、振動ＳＩＭ（周波数応答解析）を行った結果を示す。この場合、振動伝達遮断部９１ｂが形成され、半島状の可動平面部９２ａが存在する。ただし、振動抑制部９１ａが形成されず、振動防止枠９１が存在しない。振動が比較的大きな振動領域ＶＡは、ハウジング１８の支持板１８ｉの中央部や外縁部に大きく広がっており、光源保持部１８ａや素子保持部１８ｃにも及んでいる。
【００３９】
以上で説明した実施形態の光プリントヘッド（光書込装置）７３又は画像形成装置１００によれば、ハウジング１８の支持板１８ｉに、振動抑制部（リブ状部分）９１ａと振動伝達遮断部９１ｂ又は孔９５とにより略包囲され偏向器１３を支持する包囲内領域９２を有するとともに、包囲内領域９２内に振動伝達遮断部９１ｂに臨む半島状の可動平面部９２ａを有するので、偏向器１３からの振動を可動平面部９２ａで遮断しつつ包囲内領域９２外に漏れ出すことを防止できる。また、包囲内領域９２外にハウジング１８の振動方向であるＺ方向に光学的感度を持つ光学素子である走査レンズ１４ａ及びミラー１４ｂ，１４ｃ用の素子保持部１８ｃ，１８ｄを配置し、包囲内領域９２外にハウジング１８の振動方向に光学的感度を持つ光学素子である光源装置１２用の素子保持部１８ａを配置しているので、この種の振動感度が高い光学素子である走査レンズ１４ａ等に伝わる振動によって画像品質が低下することを防止できる。
【００４０】
〔第２実施形態〕
以下、第２実施形態に係る画像形成装置及び光書込装置について説明する。なお、第２実施形態の画像形成装置及び光書込装置は第１実施形態の画像形成装置等を変形したものであり、特に説明しない事項は第１実施形態と同様である。
【００４１】
図７に示すように、第２実施形態の光プリントヘッド（光書込装置）７３では、走査レンズ１４ａの前段に、光学走査系１４の一部をなすものとして入射側レンズ１６が設けられている。入射側レンズ１６は、振動防止枠９１に囲まれた包囲内領域９２に設けた半島状の可動平面部９２ａに配置されている。入射側レンズ１６は、例えば柱状又は壁状のレンズであり、可動平面部９２ａの振動に平行なＺ方向に垂直な断面がＺ方向のどの位置でも同じ形状を有するものとなっている。入射側レンズ１６は、素子保持部１８ｅにおいて、固定部８１ｅによって可動平面部９２ａに固定され、可動平面部９２ａとともにＺ方向に高速で振動する。入射側レンズ１６は、その形状的な特性から横のＸＹ方向（主方向）にのみ感度を持ち、ハウジング１８又は可動平面部９２ａの振動方向であるＺ方向（副方向）に光学的感度を略持たない。この場合、包囲内領域９２内にこの種の振動感度が低い入射側レンズ１６を配置することで、画像品質への影響を抑えつつ、ハウジング１８上の空間を有効に活用することができる。なお、入射側レンズ１６は、可動平面部９２ａに限らず矩形板部９２ｂに配置することができる。また、包囲内領域９２に配置するＺ方向に光学的感度を略持たない光学素子としては、レンズに限らずフィルターその他の様々な光学的な機能を有するものとできる。
【００４２】
〔第３実施形態〕
以下、第３実施形態に係る画像形成装置及び光書込装置について説明する。なお、第３実施形態の画像形成装置及び光書込装置は第１実施形態の画像形成装置等を変形したものであり、特に説明しない事項は第１実施形態と同様である。
【００４３】
図８に示すように、第３実施形態の光プリントヘッド（光書込装置）７３では、振動防止枠９１として、振動抑制部９１ａと振動伝達遮断部３９１ｂとを有する。振動伝達遮断部３９１ｂは、第１実施形態の場合のような孔ではなく、ハウジング１８の肉厚を周囲に比べ薄くした肉薄領域３９５である。肉薄領域３９５は、弾性変形が大きく、可動平面部９２ａの端部９３は、自由端に近い状態となっており、Ｚ方向に比較的大きく振動する。
【００４４】
第３実施形態の光プリントヘッド７３では、振動防止枠９１の一部として肉薄領域３９５を設けているので、振動防止枠９１外への振動の漏れを抑制しつつハウジング１８全体の剛性を維持することが容易になり、衝撃や荷重に強くなる。
【００４５】
以上、実施形態に即して本発明を説明したが、本発明は上記実施形態に限定されるものではない。例えば、ハウジング１８の支持板１８ｉに振動抑制部９１ａとして振動防止枠９１に沿ってリブ状部分を設けているが、振動防止枠９１の内外に追加のリブ状部分を設けてもよい。
【００４６】
振動抑制部９１ａは、表側１８ｆ又は裏側１８ｒの一方に限らず、表側１８ｆ及び裏側１８ｒの双方に形成することができ、その場合、両者の形状が異なっていてもよい。
【００４７】
上記実施形態の光プリントヘッド７３内の部品配置、ハウジング１８の形状又は厚み等も単なる例示であり、部品配置等は、光プリントヘッドの仕様に応じて適宜変更することができる。
【００４８】
上記実施形態では、偏向器１３をポリゴンミラー又は回転多面鏡１３ａ等で構成されるとしたが、ガルバノミラーなど他の偏向器でも同様の効果を奏する。また、振動抑制部９１ａは、板金等の補強部材をハウジング１８に固定したものでもよい。さらに、ハウジング１８は、フレーム部分のみを説明したが、偏向器１３等を保護するカバー等を付随させた構造を有している。
【００４９】
偏向器１３等を支持する支持板１８ｉは、水平方向に配置されるものに限らず、鉛直方向に配置されるものであってもよい。
【００５０】
以上で説明した画像形成部２０又は光プリントヘッド（光書込装置）７３は、デジタル複写機に限らずプリンターに組み込むこともできる。
【符号の説明】
【００５１】
１０…画像読取部、  １２…光源装置、  １３…偏向器、  １３ａ…回転多面鏡、  １３ｂ…モータ部、  １４…光学走査系、  １４ａ…走査レンズ、  １４ｂ，１４ｃ…ミラー、  １６…フィルター、  １８…ハウジング、  １８ａ…光源保持部、  １８ａ…素子保持部、  １８ｂ…偏向器保持部、  １８ｃ，１８ｄ，１８ｅ…素子保持部、  １８ｆ…表側、  １８ｉ…支持板、  １８ｊ…壁体、  １８ｒ…裏側、  ２０…画像形成部、  ４０…給紙部、  ５１…搬送部、  ５３…定着部、  ７０…像形成ユニット、  ７０Ｙ，７０Ｍ，７０Ｃ，７０Ｋ…像形成ユニット、  ７１…感光ドラム、  ７１ａ…受光面、  ７２…帯電部、  ７３…光プリントヘッド、  ７４…現像部、  ８１ａ，８１ｂ，８１ｃ，８１ｄ…固定部、  １０１…制御部、  ９１…振動防止枠、  ９１ａ…振動抑制部、  ９１ｂ…振動伝達遮断部、  ９２…包囲内領域、  ９２ａ…可動平面部、  ９２ｂ…矩形板部、  ９３…端部、  ９５…孔、  １００…画像形成装置、  ＬＢ…光線
【図１】
2020085984.tif 000003
【図２】
2020085984.tif 000004
【図３】
2020085984.tif 000005
【図４】
2020085984.tif 000006
【図５】
2020085984.tif 000007
【図６】
2020085984.tif 000008
【図７】
2020085984.tif 000009
【図８】
2020085984.tif 000010